(57)【要約】【課題】快適な住環境を創り出す空気調和機を提供すること。【解決手段】吹き出し口５と、回動する風向変更羽根８とを備え、前記吹き出し口５から吹き出す気流を、水平方向と床面方向とへ分散分散できる位置に、前記風向変更羽根８を移動させることを特徴とするもので、水平方向にゆっくり吹き出す気流と、床面方向に速く吹き出す気流を生成することができ、快適な住環境を創り出す空気調和機を提供できる。また、空気調和機の吹き出し口５からの気流の風向、速度を自在に変更できるにより室内にいる人の好みの気流や快適性を実現できる。【選択図】図１０
2006064375.tif 000002
【特許請求の範囲】
【請求項１】
吹き出し口と、回動する風向変更羽根とを備え、前記吹き出し口から吹き出す気流を、水平方向と床面方向とへ分散分散できる位置に、前記風向変更羽根を移動させることを特徴とする空気調和機。
【請求項２】
回動する風向変更羽根を保持し変動する腕部を備え、前記風向変更羽根の回動と前記腕部の変動とにより、前記風向変更羽根を移動させる構成とした請求項１記載の空気調和機。
【請求項３】
第一のモータ及び第二のモータを配し、腕部は前記第一のモータにより駆動し、風向変更羽根は前記第二のモータにより駆動することを特徴とする請求項２記載の空気調和機。
【請求項４】
第二のモータの軸出力伝達機構を、腕部に設けたことを特徴とする請求項２または３記載の空気調和機。
【請求項５】
腕部は、複数の間接部を有することを特徴とする請求項２〜４のいずれか１項に記載の空気調和機。
【請求項６】
第一のモータ及び第二のモータは一体構造で、かつ、前記第一のモータ出力軸を前記第二のモータの出力軸と同心とし、それぞれのモータを独立制御可能としたことを特徴とする請求項３〜５のいずれか１項記載の空気調和機。
【請求項７】
腕部と風向変更羽根とをそれぞれ独立に動作させることによって、上下方向の風の流れや気流の速さを変化させることを特徴とする請求項２〜６のいずれか１項に記載の空気調和機。
【発明の詳細な説明】
【技術分野】
【０００１】
本発明は、空気調和機における上下方向風向変更羽根の構造及び風向変更制御に関するものである。
【背景技術】
【０００２】
従来、家庭用空気調和機の風向制御装置の構成は、図１３（ａ）または図１４（ａ）に示すように上下方向風向変更羽根８をディフューザー付近に回動自在に配設するタイプと図１３（ｂ）または図１４（ｂ）に示すように水受け皿付近に回動自在に配設するタイプに大別される。図１３（ａ）、図１４（ｂ）は、それぞれのタイプにおける冷房時、図１３（ｂ）、図１４（ａ）は、それぞれのタイプにおける暖房時の上下方向風向変更羽根の回動停止位置（例）を示している。また、下記特許文献１に記載されているように上下風向制御板の上羽根と下羽根を下方向に向けるとともに、前記上下風向制御板の上羽根を前記上下風向制御板の下羽根との平行位置より下方向に向け、前記上下風向制御板の下羽根を前記上下風向制御板の上羽根との平行位置より上方向に向けるようにした空気調和機（図１５（ａ）〜（ｃ））がある（例えば、特許文献１参照）。
【０００３】
さらに、空気調和機の停止時には、吹き出し口を上下風向変更羽根で覆い塞ぐため、美観上、上下風向変更羽根は軽く弧を描く形状となっている。
【特許文献１】特開平５−６０３６５号公報
【発明の開示】
【発明が解決しようとする課題】
【０００４】
しかしながら、上記従来の構成である図１３（ａ）では、冷房運転時には上下風向変更羽根及びその羽根形状に沿って冷風１１は水平方向ないし、上向き方向に送風され、図４の１７のように部屋の遠くまで冷風を運ぶことができる。これによって、人に直接冷風を当てることなく、気流感の少ない快適な環境が創れる。しかしながら、図１４（ａ）の温風１０のように暖房運転時には周囲の空気より温度の高く軽くなった気流１０’が生成され、上下風向変更羽根から剥離していく。これにより、図５の温風１９のように床面方面への到達性が悪化するという課題を有していた。
【０００５】
また、図１３（ｂ）の構成では、暖房運転時には周囲の空気より温度の高く軽くなった温風１０は上下風向変更羽根及び羽根形状により抑えられることにより、図５の温風２０のように床面への到達性が良くなる。しかしながら、図１４（ｂ）のように周囲の空気より温度が低い場合は、周囲の空気よりも重く、上下方向風向変更羽根からの剥離される冷風１１’が生成され、図４のように冷風１８を部屋の遠方までを運ぶことができなくなり、室内の居住者に冷風が直接あたって肌寒さを感じさせるという課題を有していた。
【０００６】
上記特許文献１に記載されている空気調和機においては、温風を縮流効果により風速を増し、速やかに床面付近の温度を上昇させることはできるが、冷房時には、図１４（ｂ）と同様の課題を有していた。
【０００７】
本発明はこのような従来の課題を解決するものであり、快適な住環境を創り出す空気調和機を提供することを目的とする。
【課題を解決するための手段】
【０００８】
上記課題を解決するために本発明は、吹き出し口と、回動する風向変更羽根とを備え、前記吹き出し口から吹き出す気流を、水平方向と床面方向とへ分散分散できる位置に、前
記風向変更羽根を移動させることを特徴とするもので、水平方向にゆっくり吹き出す気流と、床面方向に速く吹き出す気流を生成することができ、快適な住環境を創り出す空気調和機を提供できる。
【発明の効果】
【０００９】
本発明によれば、快適な住環境を創り出す空気調和機を提供できる。
【発明を実施するための最良の形態】
【００１０】
第１の発明は、吹き出し口と、回動する風向変更羽根とを備え、前記吹き出し口から吹き出す気流を、水平方向と床面方向とへ分散分散できる位置に、前記風向変更羽根を移動させることを特徴とするもので、水平方向にゆっくり吹き出す気流と、床面方向に速く吹き出す気流を生成することができ、快適な住環境を創り出す空気調和機を提供できる。
【００１１】
第２の発明は、回動する風向変更羽根を保持し変動する腕部を備え、前記風向変更羽根の回動と前記腕部の変動とにより、前記風向変更羽根を移動させる構成としたもので、腕部は、吹き出し口の前方を自在に回動することができるため、水平方向にゆっくり吹き出す気流と、床面方向に速く吹き出す気流を生成することができ、快適な住環境を創り出す空気調和機を提供できる。
【００１２】
第３の発明は、第一のモータ及び第二のモータを配し、腕部は前記第一のモータにより駆動し、風向変更羽根は前記第二のモータにより駆動することを特徴とするもので、冷房時には気流感のない、暖房時には頭寒足熱の快適な住環境を創り出すことができる。
【００１３】
第４の発明は、第二のモータの軸出力伝達機構を、腕部に設けたことを特徴とするもので、腕部先端に上下方向風向変更羽根の駆動源を配設する必要がなく簡単な構成で、しかも腕部を駆動させる第一のモータのトルク負荷を軽減させることができる。
【００１４】
第５の発明は、腕部は、複数の間接部を有することを特徴とするもので、上下方向風向変更羽根を吹き出し口に収納することができ、空気調和機の美観を保つことができる。
【００１５】
第６の発明は、第一のモータ及び第二のモータは一体構造で、かつ、前記第一のモータ出力軸を前記第二のモータの出力軸と同心とし、それぞれのモータを独立制御可能としたことを特徴とするもので、上下方向風向変更羽根駆動のモータの回動を防ぎ、スペース効率よく空気調和機の風向制御装置を構成することができる。
【００１６】
第７の発明は、腕部と風向変更羽根とをそれぞれ独立に動作させることによって、上下方向の風の流れや気流の速さを変化させることを特徴とするもので、室内の空気を効果的に攪拌することや、非定常的に人に風をあてることにより快適で健康的な住空間を創造することができる。
【００１７】
以下、本発明の実施の形態について図面を参照して説明する。
【００１８】
（実施の形態１）
図１は、空気調和機の横断面図を表している。同図において、空気調和機１は熱交換器３と室内に吹き出し風１０、１１を循環させる送風ファン４及び吹き出し口５までのディフューザー２と水受け皿１２と上下方向風向変更羽根８と前記上下方向風向変更羽根を先端に保持する腕部６である。また、左右方向風向変更羽根や熱交換温度検出器、マイクロコンピュータなどにより空気調和機１が構成される。
【００１９】
図２は上下方向風向変更羽根の分解斜視図を表している。
【００２０】
ディフューザー２と水受け皿１２の間に配設された腕部駆動装置である第一のモータ１３は、この図の奥行き方向に配され、第一のモータ１３の出力軸１３’に結合された腕部６は、この出力軸１３’を中心に吹き出し口５の前方を自在に回動７することができる。また、前記腕部６の先端には第２のモータ１４の出力軸に機械的に結合される上下方向風向変更羽根８が自在に回動９し、空気調和機１の吹き出し口５から冷風や温風を上下方向に自在に吹きわけることができる。この場合、第２のモータ１４は図２のように第一のモータ１３の出力軸１３’上に配してもよいし、腕部６の先端に配してもよい。
【００２１】
さらに、図３のように上下風向変更羽根８は孤を描く横断面形状であり、腕部６と上下方向風向変更羽根８が同一位置でも上下方向風向変更羽根８の孤の向きにより微妙に風（１５、１５’）を吹き分けることもできる。
【００２２】
これにより、従来の空気調和機の暖房時における床方面への温風の到達性あるいは冷房時における室内の居住者に冷風が直接あたってしまうことなどの課題を解決することができる。
【００２３】
図４、５は、本実施の形態と従来例の空気調和機の風向制御装置による居室内の空気の流れを示した図である。図４の実線１７は、冷房時における本発明の一実施の形態である上下方向風向変更羽根８による居室内の気流であり、点線１８は従来の空気調和機（図１４（ｂ））による居室内の気流である。図１３（ａ）と同様の上下方向風向羽根の制御とすることで、上下風向変更羽根８及びその羽根形状に沿って冷風は水平方向ないし、上向き方向に送風され、居室の奥行き方向遠くまで冷風を運ぶことができ、居室にいる人が直接冷風にあたるのを防ぐことができる。また、図５の実線２０は暖房時における本発明の一実施の形態である上下方向風向変更羽根８による居室内の気流であり、点線１９は従来の空気調和機（図１３（ａ））による居室内の気流である。周囲の空気より温度の高く軽くなった温風は上下風向変更羽根８及び羽根形状により抑えられ、床面への到達性が良くなる。さらに、図６のように吹き出し口５を上下方向風向変更羽根８で塞いで狭口とし、特開平５−６０３６５号公報と同様に縮流効果により風速を増し、速やかに床面付近の温度を上昇させることもできる。
【００２４】
上記空気調和機において、従来の空気調和機がもつ冷暖房時の風向制御における課題を解決でき、快適な住環境を創ることができる。
【００２５】
（実施の形態２）
図２は、腕部６に上下方向風向変更羽根８の駆動を行う第２のモータ１４の軸出力伝達機構を内蔵した腕部６の実施の形態である。第２のモータ軸出力１４’は腕部６に内蔵されたプーリ２３に連結され、その腕部６の内部にタイミングベルト２４、プーリ２２を配し、前記プーリー２２、２３やタイミングベルト２４を介して上下方向風向変更羽根８を自在に回動９させることができる。また、腕部６のボス２１は空気調和機１に配設された穴に支持され、他方の腕部６のボスは第１のモータ１３の軸出力に連結され、自在に回動７させることができる。
【００２６】
そして、この実施の形態によれば、第２のモータ１４を空気調和機の本体側に配設することができ、腕部６の重量が軽減されることにより、腕部先端に第２のモータを配する場合に比べ、第２のモータ腕部６の回動に対し第１のモータ１３のトルクが低減されるため、第１のモータ１３の小型化ができる。
【００２７】
なお、上記上下方向風向変更羽根８の駆動を行う第２のモータの軸出力伝達機構をタイミングベルトとプーリの代わりに、ギヤの組み合わせによる駆動力伝達機構を用いても同
様の効果を得ることができる。
【００２８】
（実施の形態３）
図７は、第１のモータ１３による回動に応じて関節部で２つに屈曲した腕部６−１、６−２が一体の腕部になる構造（図７（ａ））とその状態変化（図７（ｂ））を示したものである。第１のモータ１３の回動にしたがって、腕部６−１は７のように回動するとともにディフューザー２に接して動くため、関節部２５を支点に腕が伸びるように腕部６−１と６−２の角度が広がり、ストッパ２６によって最終的には一体の腕部となる。また、第１のモータ１３を逆方向に回転駆動させることにより腕部６−１、６−２は縮みもとの状態に戻る。
【００２９】
そして、この実施の形態によれば、空気調和機１の上下方向風向変更羽根８を吹き出し口５（図３）に対して閉塞させることができる。
【００３０】
（実施の形態４）
図８は、腕部６を自在に回動させる第１のモータ１３と上下方向風向変更羽根８を自在に回動させる第２のモータ１４を一体とした本発明の一実施の形態である。腕部６を自在に回動させる第１のモータ１３は、ロータ２７をステータ２８の外側に配するいわゆるアウターロータの構造を有する。これに対し、上下風向羽根８を自在に回動させる第２のモータ１４は、出力軸１４’を第１のモータ１３と同軸上に有し、第一のモータの回転外郭により囲まれる構造とすることにより、モータを独立に駆動させることができる。
【００３１】
図２のような別体のモータ２個を用いる上下方向風向変更羽根８と腕部６の回動においては、第１のモータの出力軸１３’に対して、プーリー２２、２３とタイミングベルト２４により上下方向風向変更羽根が連結しており、腕部６が回動することにより上下方向風向変更羽根が回動する。これに対し、図９の構成では、図８の一体型モータを用いることにより、第１のモータ１３’の回転トルクは、直接腕部６−１に働き、図７のように腕部を伸縮させることができる。これに対し、第２のモータ１４’の回転トルクは第一のモータの回転に全く独立に働き、プーリ２２、２２’、２３、２３’とタイミングベルト２４、２４’を介して、上下方向風向変更羽根８に作用する。
【００３２】
そして、この実施の形態によれば、２つのモータを一体とすることでエアコン搭載時には、スペース効率が図れるとともに、モータの出力軸が干渉することを防ぎ、上下方向風向変更羽根の位置的な制御性を得ることができる。
【００３３】
（実施の形態５）
図１０は、上下方向風向変更羽根８の位置により、上下方向の気流の速さや方向を制御できる例を示したものである。図１０において、破線のように上下方向風向変更羽根８を配した場合には、空気調和機の吹出し口５から気流を分散させることができる。また、実線のように上下方向風向変更羽根８を配した場合には、水平方向にゆっくり吹き出す気流と、床面方向に速く吹き出す気流を生成することができる。図１２は、図１０の実線のように上下方向変更羽根を配した場合における居室内の気流の状態を示したもので、居室内の人を包みこみ、気流感のない快適な環境が創造できる。
【００３４】
さらに図６のように腕部６と上下方向風向変更羽根８により吹出し口５を閉塞することにより、縮流効果により風速を増し、速やかに床面付近の温度を上昇させることができ。加えて、図１１のように上下方向風向変更羽根８を配設した場合には、除湿制御時において、空気調和機から吹き出した風を直接吸い込み側へ送り込むというショートサーキットにより除湿効果を生成するともできる。
【００３５】
これらの実施の形態によれば、上下方向風向変更羽根８と吹出し口５の位置関係により空気調和機の運転モード（暖房、冷房、除湿）に適した風向制御を実現できる。また、空気調和機の吹き出し口からの気流の風向、速度を自在に変更できるにより室内にいる人の好みの気流や快適性を実現できる。
【図面の簡単な説明】
【００３６】
【図１】本発明の一実施の形態を示す空気調和機の横断面図
【図２】本発明の一実施の形態である上下方向風向変更羽根を用いた気流制御の説明図
【図３】本発明の一実施の形態である上下方向風向変更羽根の分解斜視図
【図４】本発明の一実施の形態と従来例である空気調和機の冷房時における居室内の気流の状態図
【図５】本発明の一実施の形態と従来例である空気調和機の暖房時における居室内の気流の状態図
【図６】本発明の一実施の形態である上下方向風向変更羽根により縮流生成方法の説明図
【図７】（ａ）本発明の他の実施の形態である上下方向風向変更羽根と屈曲腕部の構成図（ｂ）吹出し口閉塞状態から風向変更可能状態に移行する上下方向風向変更羽根と腕部の状態変化の説明図
【図８】本発明の一実施の形態である上下方向風向変更羽根駆動及び腕部駆動の一体型モータの横断面図
【図９】本発明の一実施の形態である一体型モータによる腕部及び上下方向風向羽根駆動機構の説明図
【図１０】本発明の一実施の形態である上下方向風向変更羽根による気流制御の説明図
【図１１】本発明の一実施の形態である上下方向風向変更羽根による除湿制御の説明図
【図１２】本発明の一実施の形態である上下方向風向変更羽根制御による居室内の気流の状態図
【図１３】（ａ）従来例である空気調和機の冷房時における風向制御の説明図（長所）（ｂ）他の従来例である空気調和機の暖房時における風向制御の説明図（長所）
【図１４】（ａ）従来例である空気調和機の暖房時における風向制御の説明図（短所）（ｂ）他の従来例である空気調和機の冷房時における風向制御の説明図（短所）
【図１５】従来例である空気調和機の縮流生成方法の説明図
【符号の説明】
【００３７】
１  空気調和機
２  ディフューザ
３  室内熱交換器
４  クロスフローファン
５  吹出し口
６  腕部
７  腕部回動範囲
８  上下方向風向変更羽根
９  上下方向風向変更羽根回動範囲
１０  暖房時の気流
１１  冷房時の気流
１２  水受け皿
１３  腕部駆動の第１のモータ
１４  上下方向風向変更羽根駆動の第２のモータ
１５  空気調和機の吹出し口からの気流
１７  本発明の一実施の形態による冷房時の居室内の気流
１８  従来例による冷房時の居室内の気流
１９  本発明の一実施の形態による暖房時の居室内の気流
２０  従来例による暖房時の居室内の気流
２１  腕部回転ボス
２２  上下方向風向変更羽根駆動プーリ
２３  第二の駆動モータ連結プーリ
２４  タイミングベルト
２５  関節部
２６  ストッパ
２７  ロータ
２８  ステータ
【図１】
2006064375.tif 000003
【図２】
2006064375.tif 000004
【図３】
2006064375.tif 000005
【図４】
2006064375.tif 000006
【図５】
2006064375.tif 000007
【図６】
2006064375.tif 000008
【図７】
2006064375.tif 000009
【図８】
2006064375.tif 000010
【図９】
2006064375.tif 000011
【図１０】
2006064375.tif 000012
【図１１】
2006064375.tif 000013
【図１２】
2006064375.tif 000014
【図１３】
2006064375.tif 000015
【図１４】
2006064375.tif 000016
【図１５】
2006064375.tif 000017